(57)【要約】 【課題】  中空体のウエイト本体１内に水、砂等の充填物を注入して所定の重量を確保してパラソルや幟旗等のポールや簡易テントの支柱等を起立保持するポール等の支持具において、ポール等を立設したままウエイトの追加積層を容易に行えるようにする。【解決手段】  積層可能な形状の中空体で、充填物の注出入部２を備えたウエイト本体１に、外周からの切込み形状となる適宜幅の溝状のスリット部３を設けると共に、上面適宜位置にポール立設部（ポール装着孔４及びポール保持部材５）を設ける。【選択図】図３
2020204192.tif 000002
【特許請求の範囲】
【請求項１】
積層可能な形状の中空体で、充填物の注出入部を備えたウエイト本体に、外周からの切込み形状となる適宜幅の溝状のスリット部を設けると共に、上面適宜位置にポール立設部を設けてなることを特徴とするポール等の支持具。
【請求項２】
スリット部がウエイト本体の中心部分を含む形状に形成してなる請求項１記載のポール等の支持具。
【請求項３】
ポール立設部をスリット部の延長位置に設けてなる請求項１又は２記載のポール等の支持具。
【請求項４】
ウエイト本体の上下面に積層時に嵌合する凹凸部を設けてなる請求項１乃至３記載のいずれかのポール等の支持具。
【請求項５】
ポール立設部を、ポール装着孔と、ポール装着孔に起立装着可能としたポール保持部材で構成し、ウエイト本体に前記付属品を収納可能とした収納凹部を設けてなる請求項１乃至４記載のいずれかのポール等の支持具。
【発明の詳細な説明】
【技術分野】
【０００１】
本発明は、旗竿、パラソル等のポールや簡易テントの支柱の起立支持をなすポール等の支持具に関するものである。
【背景技術】
【０００２】
旗竿、パラソル等のポール支持具は所定の重量を有するウエイト本体にポール装着構造を備えるもので、また運搬・収納の容易性確保のために、ウエイト本体に中空本体を採用し、水や砂等を充填して所定の重量を備えるようにしている（特許文献１，２，３）。また簡易テントの支柱は下方端に台板を備え、地面上にそのまま設置しているが、風への対策は、台板上に土嚢等の適宜な重量物を載置して対応している。
【０００３】
前記ポール支持具のポール装着構造は、ウエイト本体の中心箇所に装着孔を設け、当該装着孔にポールの根元を差込み装着してポールを起立保持するようにしている（特許文献１，２）。また特許文献３には、ウエイト本体を輪状に形成して、台板付のポール又はポール装着台板上にウエイト本体を載置する構造が開示されている。
【先行技術文献】
【特許文献】
【０００４】
【特許文献１】実公平７−４１３６８号公報。
【特許文献２】登録実用新案３１２８４７９号公報。
【特許文献３】特開２０１４−１００２３６号公報。
【発明の概要】
【発明が解決しようとする課題】
【０００５】
充填タイプのウエイト本体は、コンパクトに形成すると運搬等に便利であるが重量が抑えられてしまい、ポールの支持力も低めに抑えられてしまう。その対応としてウエイト本体を積層して使用することになるが、ポールを最下多段のウエイト本体に立設（起立支持）した後に追加積層する作業は、立設したポールが邪魔になり煩瑣である。そのため予めウエイトを積層状態としてポール装着を行う必要があり、且つウエイト積層状態でのポール立設作業も煩瑣である。
【０００６】
また基本的に１カ所のポール装着構造部を設けているので、支持具を配置した一箇所には、１本のポールしか起立支持ができない。
【０００７】
そこで本発明はポールを装着した状態でも積層が容易で且つ複数ポールにも対応でき、また簡易テントの支柱に適応した新規なポール等の支持具を提案したものである。
【課題を解決するための手段】
【０００８】
本発明の請求項１記載に係るポール等の支持具は、積層可能な形状の中空体で、充填物の注出入部を備えたウエイト本体に、外周からの切込み形状となる適宜幅の溝状のスリット部を設けると共に、上面適宜位置にポール立設部を設けてなることを特徴とするものである。
【０００９】
使用に際しては、ウエイト本体内に水、砂等の充填物を注入して所定の重量を確保し、ポール立設部に、旗竿、パラソル等のポールを立設するものであり、また簡易テントの支柱のように角柱形状でポール立設部に起立させることができない場合でも、当該支柱をスリット部内に位置させることで、支持具として使用できるものである。
【００１０】
また特にポール支持や支柱安定のためにウエイト本体を積層使用する場合には、ポール立設部に起立させたポールや、スリット部内の支柱を、積層するウエイト本体のスリット部内に納めるようにすることで、ポールや支柱を起立させた状態のままウエイト積層が可能となる。更に前記の積層状態で上段ウエイト本体のポール立設部にポールを立設することで、複数（二本目）のポール立設が可能となるものである。
【００１１】
また本発明の請求項２記載に係るポール等の支持具は、スリット部がウエイト本体の中心部分を含む形状に形成してなるもので、ポール立設時においてウエイト本体を積層する際に、平面左右対称形状としたウエイト本体を採用した場合に、上下段のウエイト本体が平面視一致した状態の積層となる。
【００１２】
また本発明の請求項３記載に係るポール等の支持具は、特にポール立設部をスリット部の延長位置に設けてなるもので、積層使用の二本立設に際して、ポールがウエイト本体を中心とした対称位置に立設される。
【００１３】
また本発明の請求項４記載に係るポール等の支持具は、特にウエイト本体の上下面に積層時に嵌合する凹凸部を設けてなるもので、安定した積層状態を得ることができる。
【００１４】
また本発明の請求項５記載に係るポール等の支持具は、ポール立設部を、ポール装着孔と、ポール装着孔に起立装着可能としたポール保持部材で構成し、ウエイト本体に前記付属品を収納可能とした収納凹部を設けてなるもので、不使用時にポール保持部材を収納することでコンパクト化や紛失防止が実現される。
【発明の効果】
【００１５】
本発明の構成は上記のとおりで、ポールの他テント支柱等の起立安定保持に供されると共に、ウエイト本体にポール等を立設した状態のまま追加ウエイトの積層が可能であり、また同一位置に複数（二本）のポールの立設を可能としたものである。
【図面の簡単な説明】
【００１６】
【図１】本発明の実施形態の全体斜視図。
【図２】同付属品のポール保持部材の斜視図。
【図３】同付属品を組み合わせた斜視図。
【図４】同断面図。
【図５】同ウエイト本体の裏面図。
【図６】同付属品収納状態の説明図。
【図７】同使用状態（二段積層）を示す説明図。
【図８】同図（三段積層）。
【図９】同図（ポールの二本立設）。
【図１０】同簡易テントの支柱（角柱）の使用状態の説明図。
【発明を実施するための形態】
【００１７】
次に本発明の実施形態について説明する。実施形態示したポール支持具は、ウエイト本体１に、注出入部２とスリット部３とポール立設部を構成するポ―ル装着孔４とポール保持部材５からなるものである。
【００１８】
ウエイト本体１は、安定して地面上に位置させることができる例えば円盤状等の任意の形状の中空体に形成したもので、前記の注出入部２、スリット部３、ポール立設部４を設けると共に、特にウエイト本体１の上下面に積層時に嵌合する凹部１１及び凸部１２を設けてなる。前記の凹凸部１１，１２は、中心に対して点対称位置に設けて、少なくとも所定回動角度での積層時に嵌合する位置に形成したものである。
【００１９】
またウエイト本体１の下面には、後述する付属品であるポール保持部材５の構成部品（筒状本体５１と絞りキャップ体５２）形状に各々対応した細長Ｕ状溝の第一収納凹部１３と、円形穴の第二収納凹部１４を設け、外周面適宜位置に運搬に供する取っ手部１５を形成してなる。
【００２０】
注出入部２は、例えば注入出口と注入出口を密閉する開閉蓋で構成すというように、所定の重量を確保するための充填物（水や砂等）を注入排出することが可能であれば任意の構造が採用することができる。
【００２１】
スリット部３は、本体中心（平面視中心）を含み外周に達する上下貫通する溝形状で、溝幅は、後述するポール保持部材５の外径以上であれば良い。
【００２２】
ポール立設部は、ポール装着孔４とポール保持部材５で構成され、ポール装着孔４は、前記スリット部３の延長位置にウエイト本体１の上下を貫通形成したもので、ポール装着孔４はウエイト本体１にポールＡを立設できれば良いものであるが、特に本実施形態ではポール保持部材５を使用する構成を採用したもので、ポール保持部材５の外径と一致させる密挿連結構造や、或いは図４に示すように内部に雌ねじ付小径連結孔部４１を設けると共に、ポール保持部材５の下端を螺軸部５４に形成し、前記小径連結孔部４１を使用して固定する連結構造など任意の連結構造を採用することができる。勿論ポール立設部は前記ポール装着孔４に限定されるものではない。
【００２３】
ポール保持部材５は、図２に示すように筒状本体５１と絞りキャップ体５２で構成し、筒状本体５１は、緊締ポールＡを挿入する筒状部５３を備え、筒状部５３の下端に連結用の螺軸部５４を設け、筒状部５３の上端に絞りキャップ体５２と螺合する緊締螺条５５を設けたものである。
【００２４】
絞りキャップ体５２は内周に螺合によって縮径する絞り片を備えた周知構造のもので、絞りキャップ体５２を通して筒状本体５１にポールＡを挿通し、絞りキャップ体５２を緊締螺合すると。ポールＡとポール保持部材５が一体化するものである。
【００２５】
而して前記のポール等の支持具は、ウエイト本体１に適宜な充填物（水や砂等）を詰めて所定の重量を確保すると共に、ポール保持部材５の筒状本体５１をポール立設部（ポール装着孔）４に挿着し（図３の状態）使用可能状態とする。
【００２６】
使用対象はパラソルＢや幟旗Ｃ、その他所望の起立柱（ポール）を備える物品で、使用対象品のポールＡをポール保持部材５に挿着固定し、ウエイト本体１の自重で使用対象品を起立保持するものである。
【００２７】
また例えばパラソルＢのように傘部分を備え安定起立を維持するために当該ウエイト本体１の自重が足りない場合には、図７に示すように更に充填物を詰めたウエイト本体１ａを積層すれば良く、積層に際しては上段となるウエイト本体１ａのスリット部３内にポール保持部材５が位置するようにすることで、下段ウエイト本体１にポールＡを取付けた状態のまま積層可能となるものである。而もウエイト本体１の上下面に嵌合する凹凸部１１，１２を形成しているのでウエイト本体１，１ａは安定して積層されることになる。
【００２８】
更に支持具のウエイトを増加させたい場合は、図８に示すように更にウエイト本体１ｂを追加積層することも可能である。
【００２９】
またウエイト本体１，１ａの二段積層において、図９に示すように使用対象が幟旗Ｃの場合などは、下段ウエイト本体１に立設した幟旗Ｃの他、上段ウエイト本体１ａのポール装着孔４ａにポール保持部材５ａを挿着し、二本目の幟旗Ｃａを立設することもできる。
【００３０】
また図１０に例示するように、使用対象物が簡易テントの支柱（角柱）Ａ１のように台板Ｄを備えた角柱に対して使用する場合（ポール立設部を使用しない場合）は、支柱Ａ１をスリット部３内のウエイト中心に位置させ、台板Ｄを抑え込むことで簡易テントの安定起立を保持することができ、更に支柱Ａ１の起立状態のまま追加積層も可能となるものである。
【００３１】
特にポール保持部材５を使用しない場合や、本器具自体を使用しない場合には、図６に示すようにポール保持部材５の筒状本体５１をウエイト本体１の下面に形成した第一収納凹部１３に嵌合収納し、絞りキャップ体５２を第二収納凹部１４に嵌合収納しておくことで、携帯に便利で且つポール保持部材の紛失を防止できる。
【符号の説明】
【００３２】
１，１ａ，１ｂ      ウエイト本体
１１    凹部
１２    凸部
１３    第一収納凹部
１４    第二収納凹部
１５    取っ手部
２      注出入部
３      スリット部
４，４ａ      ポール装着孔（ポール立設部）
４１    小径連結孔部
５，５ａ      ポール保持部材（ポール立設部）
５１    筒状本体
５２    絞りキャップ体
５３    筒状部
５４    螺軸部
５５    緊締螺条
Ａ，Ａａ    ポール
Ａ１      支柱
Ｂ      パラソル
Ｃ，Ｃａ      幟旗
Ｄ      台板
【図１】
2020204192.tif 000003
【図２】
2020204192.tif 000004
【図３】
2020204192.tif 000005
【図４】
2020204192.tif 000006
【図５】
2020204192.tif 000007
【図６】
2020204192.tif 000008
【図７】
2020204192.tif 000009
【図８】
2020204192.tif 000010
【図９】
2020204192.tif 000011
【図１０】
2020204192.tif 000012
【手続補正書】
【提出日】令和2年9月11日(2020.9.11)
【手続補正１】
【補正対象書類名】特許請求の範囲
【補正対象項目名】全文
【補正方法】変更
【補正の内容】
【特許請求の範囲】
【請求項１】
積層可能な形状の中空体で、充填物の注出入部を備えたウエイト本体に、外周からの切込み形状となる適宜幅の溝状のスリット部を設けると共に、ウエイト本体上面のスリット部の延長位置にポール立設部を設けてなることを特徴とするポール等の支持具。
【請求項２】
スリット部がウエイト本体の中心部分を含む形状に形成してなる請求項１記載のポール等の支持具。
【請求項３】
ウエイト本体の上下面に積層時に嵌合する凹凸部を設けてなる請求項１又は２記載のポール等の支持具。
【請求項４】
ポール立設部を、ポール装着孔と、ポール装着孔に起立装着可能としたポール保持部材で構成し、ウエイト本体に前記ポール保持部材を収納可能とした収納凹部を設けてなる請求項１乃至３記載のいずれかのポール等の支持具。
【手続補正２】
【補正対象書類名】明細書
【補正対象項目名】０００８
【補正方法】変更
【補正の内容】
【０００８】
本発明の請求項１記載に係るポール等の支持具は、積層可能な形状の中空体で、充填物の注出入部を備えたウエイト本体に、外周からの切込み形状となる適宜幅の溝状のスリット部を設けると共に、ウエイト本体上面のスリット部の延長位置にポール立設部を設けてなることを特徴とするものである。
【手続補正３】
【補正対象書類名】明細書
【補正対象項目名】００１０
【補正方法】変更
【補正の内容】
【００１０】
また特にポール支持や支柱安定のためにウエイト本体を積層使用する場合には、ポール立設部に起立させたポールや、スリット部内の支柱を、積層するウエイト本体のスリット部内に納めるようにすることで、ポールや支柱を起立させた状態のままウエイト積層が可能となる。更に前記の積層状態で上段ウエイト本体のポール立設部にポールを立設することで、複数（二本目）のポール立設が可能となるものである。また特にポール立設部をスリット部の延長位置に設けてなるもので、積層使用の二本立設に際して、ポールがウエイト本体を中心とした対称位置に立設される。
【手続補正４】
【補正対象書類名】明細書
【補正対象項目名】００１３
【補正方法】変更
【補正の内容】
【００１３】
また本発明の請求項３記載に係るポール等の支持具は、特にウエイト本体の上下面に積層時に嵌合する凹凸部を設けてなるもので、安定した積層状態を得ることができる。
【手続補正５】
【補正対象書類名】明細書
【補正対象項目名】００１４
【補正方法】変更
【補正の内容】
【００１４】
また本発明の請求項４記載に係るポール等の支持具は、ポール立設部を、ポール装着孔と、ポール装着孔に起立装着可能としたポール保持部材で構成し、ウエイト本体に前記ポール保持部材を収納可能とした収納凹部を設けてなるもので、不使用時にポール保持部材を収納することでコンパクト化や紛失防止が実現される。